(57)【特許請求の範囲】
【請求項１】
先端が開いた一対の脚部と、この一対の脚部の先端に形成された球状の係止部と、前記一対の脚部の後部に連結されたＣ字状のリング部とを有し、このリング部内に袋の口部を挿入させて前記一対の脚部の先端部を捩って脚部を互いに絡ませることによって袋の口部を前記リング部が結束し、前記係止部が脚部の絡まりのほぐれを防止するようになっている結束具において、この結束具で袋の口部を結束させる結束機であって、
袋の口部が差し込まれる差込部と、
前記結束具を多数収納する収納室と、
この収納室に収納された結束具の１つを取り出す取出手段と、
この取出手段によって取り出された結束具をその脚部を先頭にして前記差込部へ送り出していくとともに、前記差込部に差し込まれた袋の口部を一対の脚部間からリング部内に挿入させていく送出手段と、
前記一対の脚部の先端部を捩って脚部を互いに絡ませる捩手段とを備え、
前記送出手段は、結束具のリング部に係合してリング部の回転を阻止する係合部を有し、
前記捩手段は、前後方向に移動可能に且つ移動しながら回転していく回転部材を有し、この回転部材には結束具の係止部を受ける擂り鉢状の受面が形成され、この受面内に前記回転部材の回転を結束具の脚部に付与する捩板が設けられ、
前記回転部材は、その受面が結束具の係止部を受けて、送出手段による結束具の送り出しによって前進して回転していくとともに、結束具のリング部の回転を阻止する係合部と結束具の係止部に回転を付与する前記捩板との協働により脚部を捩っていくことを特徴とする結束機。
【発明の詳細な説明】
【０００１】
【発明の属する技術分野】
この発明は、袋の口部を結束具で結束させていく結束機に関する。
【０００２】
【従来の技術】
従来から、図１８に示す結束具１が知られている。かかる結束具１は、Ｃ字状のリング部２に一対の脚部３,４が形成され、この一対の脚部３,４の先端に球状の係止部５,６が形成されている。そして、脚部３,４の先端が開いており、この脚部３,４間からリング部２内へ袋Ｆの口部Ｆaを挿入させ、この後、図１９に示すように脚部３,４を捩って脚部３,４を互いに絡ませることによってリング部２が袋Ｆの口部Ｆaを結束するようになっている。なお、係止部５,６は、脚部３,４の絡めが外れてしまうのを防止するものである。
【０００３】
【発明が解決しようとする課題】
しかしながら、このような結束具１にあっては、手作業によって脚部３,４を捩っており、この結束具１で袋の口部を自動的に結束させる結束機がいまだに提案されていない。
【０００４】
この発明は、上記事情に鑑みてなされたもので、その目的は、上記結束具で袋の口部を自動的に結束させることのできる結束機を提供することにある。
【０００５】
【課題を解決するための手段】
上記目的を達成するため、請求項１の発明は、先端が開いた一対の脚部と、この一対の脚部の先端に形成された球状の係止部と、前記一対の脚部の後部に連結されたＣ字状のリング部とを有し、このリング部内に袋の口部を挿入させて前記一対の脚部の先端部を捩って脚部を互いに絡ませることによって袋の口部を前記リング部が結束し、前記係止部が脚部の絡まりのほぐれを防止するようになっている結束具において、この結束具で袋の口部を結束させる結束機であって、
袋の口部が差し込まれる差込部と、
前記結束具を多数収納する収納室と、
この収納室に収納された結束具の１つを取り出す取出手段と、
この取出手段によって取り出された結束具をその脚部を先頭にして前記差込部へ送り出していくとともに、前記差込部に差し込まれた袋の口部を一対の脚部間からリング部内に挿入させていく送出手段と、
前記一対の脚部の先端部を捩って脚部を互いに絡ませる捩手段とを備え、
前記送出手段は、結束具のリング部に係合してリング部の回転を阻止する係合部を有し、
前記捩手段は、前後方向に移動可能に且つ移動しながら回転していく回転部材を有し、この回転部材には結束具の係止部を受ける擂り鉢状の受面が形成され、この受面内に前記回転部材の回転を結束具の脚部に付与する捩板が設けられ、
前記回転部材は、その受面が結束具の係止部を受けて、送出手段による結束具の送り出しによって前進して回転していくとともに、結束具のリング部の回転を阻止する係合部と結束具の係止部に回転を付与する前記捩板との協働により脚部を捩っていくことを特徴とする。
【０００７】
【発明の実施の形態】
以下、この発明に係る結束機の実施の形態を図面に基づいて説明する。
【０００８】
図１に示す結束機１０は、複数の結束具１を収納する収納室１１を形成した本体１２と、この本体１２の下部に設けたグリップ部１３と、本体１２の前部であて且つ収納室１１より一段下がった位置に設けられた送出部３０と、この送出部３０から前方（図１において左方向）へ延びた筒状の結束部４０とを有している。
【０００９】
収納室１１内には複数の結束具１（図１５参照）が収納されており、これら結束具１の各係止部５,６が接着剤により接着されて結束具１が連結されている。
【００１０】
収納室１１の両側壁１１Ｓには、図２に示すようにガイド部１５が形成され、このガイド部１５には結束具１のリング部２に当接して結束具１を前方へ案内するガイド面１５Ａが形成されている。また、収納室１１の底部には結束具１を受ける底板１６が設けられている。
【００１１】
連結された結束具１はスプリング１７により押圧板１８を介して前方へ付勢されており、スプリング１７はキャップ１９に固定されている。キャップ１９は本体１２に着脱可能に装着されている。
【００１２】
また、収納室１１の前には図３に示すように板状のストッパ２０が設けられており、このストッパ２０の先端部２０aが先頭にある結束具１のリング部２の下部に当接するようになっている。ストッパ２０の先端部２０aと底板１６の先端１６aとの間には所定の間隙が形成されるとともに、結束具１がそのリング部２の頂部（最下部）を中心にして図１中反時計方向に回転し、送出部３０に供給可能なようにストッパ２０の板厚が設定されている。
【００１３】
送出部３０には、図４および図５に示すように、結束具１のリング部２および係止部５,６を載置するガイド面３１,３１が形成されている。このガイド面３１,３１は前後方向に延びており、結束具１をその係止部５,６を先頭にした状態で前方へ案内するものである。
【００１４】
結束部４０には、図５に示すように、矢印Ｑ方向から袋の口部を差し込む切込部（差入部）４１が形成され、この切込部４１の左方向（図５において）には捩機構（捩手段）４２が設けられている。
【００１５】
捩機構４２は、後面に擂り鉢状の受面４３を形成した捩部材（回転部材）４４と、この捩部材の前面に設けたロッド４５と、このロッド４５が挿入される挿入孔４６を有するブロック４７とを有している。
【００１６】
受面４３内には、図１５ないし図１７に示すように捩板４９が設けられている。この捩板４９は、径方向に延びるとともに軸方向に所定の高さを有する２つの平面部４９Ａ,４９Ｂと、この平面部４９Ａ,４９Ｂから周方向にいくに従って高さ（軸方向に対する高さ）が低くなる曲面４９Ｃ,４９Ｄとを有している。平面部４９Ａ,４９Ｂは回転方向に対して同方向に向いている。また、捩板４９は外周側へいくにしたがって肉厚が厚くなっている。
【００１７】
ロッド４５には雄ネジが形成され、挿入孔４６には雌ねじが形成されている。そして、ロッド４５と挿入孔４６とで太いボールネジ４５Ｎが形成され、ロッド４５が前方（図５において左方向）へ押されると時計方向（図５において右方から見て）へ回転しながら前方へ移動していくようになっている。ロッド４５が１ストローク（図５の位置から図１４に示す位置まで）前進すると、そのロッド４５はほぼ３／４回転するように、ボールネジ４５Ｎのネジの傾きが設定されている。
【００１８】
ブロック４７と捩部材４４との間にはスプリング４８が介在され、捩部材４４が後方（図５において右方）へ付勢されている。そして、捩部材４４はスプリング４８の付勢力に抗して押されると、ロッド４５とともに回転しながら前方へ移動していくようになっている。
【００１９】
グリップ部１３内には、図１に示すように、上下方向に延びたトリガ２１が設けられており、このトリガ２１の一部がグリップ部１３に設けた切欠部１３Ａから露出している。このトリガ２１の下部が軸支され、トリガ２１は軸２２を中心にして回動するようになっており、トリガ２１の上部の右端部にはリンク部材２３の一端が軸支されている。リンク部材２３の他端部には軸２４が設けられており、この軸２４の一端部が本体１２の側壁部(図示せず)に設けた水平のスリット(図示せず)に挿入され、このスリットに沿って軸２４が左右方向に移動可能となっている。
【００２０】
すなわち、トリガ２１が引かれて軸２２を中心にして時計回りに回動すると、その回動とともに軸２４は右方向へ移動していくようになっている。
【００２１】
また、本体１２の側壁部には、Ｌ字形の切断部材２５が軸２６を中心にして回動可能に設けられており、この切断部材２５の下部２５Ａの前端２５aにリンク部材２３の軸２４が係合している。切断部材２５は図示しないスプリングにより時計回りに付勢されている。そして、軸２４が右方向へ移動していくと、切断部材２５はスプリングの付勢力に抗して軸２６を中心にして反時計回りに回動していくようになっている。
【００２２】
切断部材２５の上部先端には収納室１１を横断する方向へ延びたカッタ２７が設けられており、切断部材２５が軸２６を中心にして反時計回りに回動していくと、カッタ２７が先頭の結束具１の係止部５,６と２番目の結束具１の係止部５,６との間に入り込んで、２番目の結束具１の係止部５,６から先頭の結束具１の係止部５,６が切り離されることで、ストッパ２０の先端部２０aと底板１６の先端１６aとの間の間隙からその結束具１のリング部２の頂部（最下部）が送出部３０へ落下していく。このとき、結束具１のリング部２がガイド面３１に当接し、その当接点を中心にして反時計方向に回転されるとともに、その結束部１の脚部３,４がストッパ２０の両側の空間部を通って、図５に示すように、係止部５,６を先頭にして送出部３０のガイド面３１,３１に載置されるようになっている。
【００２３】
そして、送出板５６と切断部材２５とで収納室１１に収納された結束具１の１つを送出部３０へ取り出す取出手段２８が構成されている。
【００２４】
また、グリップ１３内には、図１に示すように、トリガ２１の後方に上下方向に延びた送出リンク部材５１が設けられている。この送出リンク部材５１の下部には上下方向に延びた長孔５２が形成され、この長孔５２にはクリップ部１３に固定した軸５３が挿入されている。送出リンク部材５１はその軸５３を中心にして回動可能となっており、図示しないスプリングによって時計回りに付勢されている。
【００２５】
送出リンク部材５１の下端部には前方へ突出した突出部５４が形成され、この突出部５４の先端にローラ５５が設けられている。このローラ５５は、トリガ２１が図６に示す位置へ回動されると、そのトリガ２１の後面２１Ｂに当接するようになっている。また、送出リンク部材５１の上端部は送出板（送出手段）５６の後部に軸支されている。
【００２６】
送出板５６は、本体１２の収納室１１の底板１６の下側に、図示しないガイド部により左右方向に移動可能に配置されている。送出板５６の先端面５６Ａは図５に示すように凹状且つ円弧状に形成され、先端面５６Ａには図２に示すように結束具１のリング部２が挿入される溝５７が形成されている。
【００２７】
また、送出板５６の後部の下部は送出リンク部材５１の上部が軸支され、送出リンク部材５１が軸５３を中心にして反時計回りに回動すると、この回動とともに送出板５６が前方へ移動していくようになっている。この送出板５６の前方への移動により、送出部３０にある結束具１が結束部４０へ送り出されることになる。
［動  作］
次に、上記のように構成される結束機１０の動作について説明する。
【００２８】
先ず、図１に示すように、連結された結束具１を本体１２の収納室１１に予め収納しておく。次に、袋Ｆの口部Ｆaを結束部４０の切込部４１に差し込む。
【００２９】
そして、トリガ２１を図６に示す位置まで引いていくと、このトリガ２１が軸２２を中心にして時計回りに回動していき、この回動とともにリンク部材２３が後方へ移動していく。リンク部材２３の後方への移動とともに軸２４が後方へ移動していき、軸２４の後方への移動により、切断部材２５がスプリング(図示せず)の付勢力に抗して軸２６を中心にして反時計回りに回動していく。
【００３０】
切断部材２５の反時計回りの回動により、切断部材２５のカッタ２７が先頭の結束具１の係止部５,６と２番目の結束具１の係止部５,６との間に入り込んでいき、２番目の結束具１の係止部５,６から先頭の結束具１の係止部５,６を切り離すとともに、先頭の結束具１を前方へ反時計方向へ倒していく。倒された結束具１は、送出部３０へ位置し、図４ないし図６に示すように係止部５,６が先頭になってガイド面３１,３１に載置される。
【００３１】
さらに、図６に示す位置からトリガ２１を引いていくと、送出リンク部材５１のローラ５５がトリガ２１の後面２１Ｂに当接して、送出リンク部材５１が軸５３回りに反時計方向へ回動していく。送出リンク部材５１の反時計方向への回動により、送出板５６が前方へ移動していく。
【００３２】
送出板５６の前方への移動により、送出板５６の先端面５６Ａの溝５７に結束具１のリング部２が挿入されて、その結束具１が送出板５６によって結束部４０へ送り出されていく。結束具１が図７に示す位置へ送られると、結束具１の係止部５,６が捩機構４２の捩部材４４の受面４３に当接するとともに捩板４９を挟んだ状態に当接する。そして、さらに図８に示すように送出板５６が前方へ移動していくと、切込部４１に差し込まれた袋Ｆの口部Ｆaが結束具１のリング部２内へ挿入されていくとともに、結束具１の係止部５,６は捩板４９の平面部４９Ｂ,４９Ａに押圧されて、その係止部５,６間の離間距離が図９（Ａ）に示すように狭められていく。
【００３３】
他方、結束具１の移動にともない、捩部材４４がスプリングの付勢力に抗して左方向へ移動していく。
【００３４】
捩部材４４は移動しながら時計方向（図８において右方から見て）へ回転していく。捩部材４４の回転により、捩板４９が図８において左方から見て反時計回りに回転していくので、係止部５,６が図９（Ａ）の矢印Ｑ2に示す方向の力を受ける。そして、さらに結束具１が前方へ送られると、その矢印Ｑ2方向の力により図９（Ｂ）および図１０に示すように、結束具１の脚部４が脚部３の上に乗り上げていく。
【００３５】
図１０に示す位置から結束具１が前方へ送られると、係止部５,６が捩部材４４の受面４３によってさらに狭められていくとともに、捩部材４４および捩板４９の回転により、図９（Ｃ）に示すように、係止部５と係止部６が最接近する。さらに、結束具１が前方へ送られると、捩部材４４が前進ながら回転していくので、図１１（Ａ）に示すように、捩板４９の平面部４９Ａ,４９Ｂが右肩上がりに傾斜することにより係止部５の上に係止部６が乗り上げる状態となる。そして、図１２に示すように、脚部３,４は交差するとともに図１１（Ｂ）に示すように捩板４９が垂直状態に位置して係止部５,６の位置が互いに逆転する。
【００３６】
さらに、結束具１が前方へ送られることにより捩部材４４が前進ながら回転していくと、図１１（Ｃ）に示すように、捩板４９の回転により結束具１の係止部６が係止具５の下側に入り込んでいく。
【００３７】
そして、図１３に示す位置へ結束具１が送り込まれると、図１１（Ｄ）に示す位置へ捩板４９が回転していく。この捩板４９の回転により結束具１の係止部６が係止部５の右側へ移動していき、図１４に示すように脚部３,４が２回交差して互いに捩られることになる。この結果、結束具１のリング部２によって袋Ｆの口部Ｆaが結束される。
【００３８】
ところで、結束具１の脚部３,４は捩部材４４および捩板４９の回転によって捩られていくが、このとき結束具１のリング部２が送出板５６の溝５７に挿入されていることにより、リング部２は捩部材４４の回転によって回転していくことが防止される。このため、捩部材４４および捩板４９の回転によって結束具１の脚部３,４を確実に捩ることができることになる。
【００３９】
結束具１によって結束された袋Ｆはその切込部４１から矢印Ｑと反対方向へ引き出す。
【００４０】
この後、トリガ２１から手を離せば、図示しないスプリングの付勢力によって切断部材２５が図１に示す位置へ戻ることにより、トリガ２１およびリンク部材２３が図１に示す位置へ戻る。また、図示しないスプリングの付勢力によって送出リンク部材５１が図１に示す位置へ戻ることにより、送出板５６が図１に示す位置へ戻る。他方、捩機構４２の捩部材４４はスプリングの付勢力によって図１示す位置に戻り、次の袋の口部を結束する待機状態となる。
【００４１】
捩部材４４は待機状態へ戻るとき逆方向へ回転することになるが、このとき袋Ｆが切込部４１から引き出されていないとき、捩られた結束具１の係止部５,６は捩板４９の平面部４９Ａ,４９Ｂに係合しない方向に曲面４９Ｃ,４９Ｄ上を滑って相対移動することになるため、その逆方向の回転により脚部３,４の捩りが解除されてしまうことはない。
【００４２】
このように、トリガ２１を引くだけで、本体１２の収納室１１にある結束具１が結束部４０へ送り出されるとともに、結束具１の脚部３,４が互いに捩られて袋Ｆの口部Ｆaを結束するので、従来のように手作業で結束具１の脚部３,４を捩る必要がなく、このため、効率よく袋Ｆの口部Ｆaを結束していくことができる。
【００４３】
【発明の効果】
この発明によれば、袋の口部を結束具で自動的に結束させることのでき、従来のように手作業で結束具の脚部を捩る必要がなく、このため効率よく袋の口部を結束していくことができる。
【図面の簡単な説明】
【図１】この発明に係わる結束機の構成を示した従断面図である。
【図２】図１に示す結束機の本体の前側の横断面図である。
【図３】結束具とストッパの位置関係を示した説明図である。
【図４】本体の送出部を示した断面図である。
【図５】送出部と捩機構とを示した説明図である。
【図６】トリガを途中まで引いた状態を示した結束機の縦断面図である。
【図７】結束具が結束部へ送り出された状態を示した説明図である。
【図８】結束具の係止部が捩部材の受面に案内されていく状態を示した説明図である。
【図９】（Ａ）結束具の係止部間の距離が狭まれた状態を示した説明図である。
（Ｂ）結束具の脚部が重なった状態を示した説明図である。
（Ｃ）結束具の脚部が重なるとともに係止部間の距離が狭まれた状態を示した説明図である。
【図１０】結束部へ送り出された結束具の脚部が重なった状態を示した説明図である。
【図１１】（Ａ）結束具の係止部が互いに重なった状態を示した説明図である。
（Ｂ）結束具の係止部の位置が反対になった状態を示した説明図である。
（Ｃ）結束具の係止部が上下方向に重なっていく状態を示した説明図である。
（Ｄ）袋口部を結束したときの係止部の位置を示した説明図である。
【図１２】係止部の位置が互いに反対位置になって脚部が交差した結束具を示した説明図である。
【図１３】トリガが完全に引かれて結束具が結束部の所定位置まで送り出された状態を示した結束機を示した説明図である。
【図１４】結束具が結束部の所定位置まで送り出されてその脚部が互いに捩られた状態を示した説明図である。
【図１５】捩板を示した正面図である。
【図１６】図１５の捩板を示した左側面図である。
【図１７】図１５の捩板を示した底面図である。
【図１８】結束具の構成を示した説明図である。
【図１９】結束具で袋の口部を結束した状態を示した説明図である。
【符号の説明】
２２        アーム部材
３０        クリップ保持プレート
４０        脚片交差機構
５０        開閉動作機構
６０        第２往復駆動機構
Ｋ        クリップ
【図１】
0004686892.tif 000002
【図２】
0004686892.tif 000003
【図３】
0004686892.tif 000004
【図４】
0004686892.tif 000005
【図５】
0004686892.tif 000006
【図６】
0004686892.tif 000007
【図７】
0004686892.tif 000008
【図８】
0004686892.tif 000009
【図９】
0004686892.tif 000010
【図１０】
0004686892.tif 000011
【図１１】
0004686892.tif 000012
【図１２】
0004686892.tif 000013
【図１３】
0004686892.tif 000014
【図１４】
0004686892.tif 000015
【図１５】
0004686892.tif 000016
【図１６】
0004686892.tif 000017
【図１７】
0004686892.tif 000018
【図１８】
0004686892.tif 000019
【図１９】
0004686892.tif 000020